(57)【要約】【課題】  可動フードを移動させる駆動ナットの緩みを駆動ナットとは異なる手段を用いて阻止することのできる釣り竿を提供する。【解決手段】  リール脚Ｂを保持する可動フード３Ｃを竿軸線方向に駆動移動させる駆動ナット６を、竿素材１に外嵌装着してあるシートベース３Ｂに螺着する。可動フード３Ｃがリール脚Ｂを保持する位置で、駆動ナット６の緩みを規制する緩み止め用ストッパ７を、竿素材１の円周方向への回転を阻止する左右一対の規制板８，８を介して竿素材内に装着する。緩み止め用ストッパ７の係合部７ｂをシートベース３Ｂ及び竿素材１を貫通して駆動ナット６の被係合部６ｂに係合すべく構成してある。【選択図】        図２
2008173067.tif 000002
【特許請求の範囲】
【請求項１】
リール脚を保持する一対のフードの少なくとも一方を可動フードに構成するとともに、前記可動フードを竿軸線方向に駆動移動させる駆動ナットを、竿素材に外嵌装着してあるシートベースに螺着し、前記可動フードがリール脚を保持する位置で、前記駆動ナットの緩みを規制する緩み止め用ストッパを、前記竿素材の円周方向への回転を阻止する阻止手段を介して前記竿素材内に装着し、前記緩み止め用ストッパの係合部を前記シートベース及び前記竿素材を貫通して前記駆動ナットの被係合部に係合すべく構成してある釣り竿。
【請求項２】
前記緩み止め用ストッパを長尺体に構成するとともに、先端部を折れ曲り自在に構成し、その折れ曲り先端部を前記係合部に構成し、前記竿素材内の前記貫通部位近傍に、前記緩み止め用ストッパの係合部を折れ曲り状態に屈折させて前記駆動ナットの被係合部に誘導するガイド部を形成してある請求項１記載の釣り竿。
【請求項３】
前記阻止手段を、前記竿素材の内周面に前記緩み止め用ストッパの竿軸線方向への移動を許容し、周方向での回転を規制する一対の規制板を立設して構成してある請求項１または２記載の釣り竿。
【発明の詳細な説明】
【技術分野】
【０００１】
本発明は、リール脚を保持する一対のフードの少なくとも一方を可動フードに構成するとともに、前記可動フードを竿軸線方向に駆動移動させる駆動ナットを、竿素材に外嵌装着してあるシートベースに螺着してある釣り竿に関する。
【背景技術】
【０００２】
リール脚を保持する可動フードを駆動ナットで竿軸線方向に移動させ、駆動ナットを締め込むことによって可動フードをリール脚保持位置に維持する構成を採っている。したがって、駆動ナットに緩みが生ずると可動フードがリール脚保持位置より後退することによって、リールがガタついたり、外れたりすることがある。
その為に、従来は、駆動ナットとして可動フードをリール脚保持位置に維持する移動用ナットと移動用ナットの緩みを阻止する固定ナットとを有するものがあった（特許文献１参照）。
【０００３】
【特許文献１】特開２００３−２３５４１０号公報（段落番号〔００２５〕、及び、図１）
【発明の開示】
【発明が解決しようとする課題】
【０００４】
上記したダブルナット構造においては、互いの接触面に傾斜カム面を形成して、少なくともいずれか一方のナットに縮径方向の力を作用させて、シートベースの雄ネジとの噛み合いを深くし、緩み難い構造とするものがある。
しかし、餌木を使用した激しく竿を煽り操作してイカ等を誘う操作を行うものの場合は、竿と手を激しく動かす為に、釣操作の途中で手が衝撃的にナットに接触することがあり、その場合にはナットに緩みが生ずる場合がある。
【０００５】
本発明の目的は、可動フードを移動させる駆動ナットの緩みを、駆動ナットとは異なる手段を用いて阻止することのできる釣り竿を提供する点にある。
【課題を解決するための手段】
【０００６】
〔構成〕
請求項１に係る発明の特徴構成は、リール脚を保持する一対のフードの少なくとも一方を可動フードに構成するとともに、前記可動フードを竿軸線方向に駆動移動させる駆動ナットを、竿素材に外嵌装着してあるシートベースに螺着し、前記可動フードがリール脚を保持する位置で、前記駆動ナットの緩みを規制する緩み止め用ストッパを、前記竿素材の円周方向への回転を阻止する阻止手段を介して前記竿素材内に装着し、前記緩み止め用ストッパの係合部を前記シートベース及び前記竿素材を貫通して前記駆動ナットの被係合部に係合すべく構成してある点にあり、その作用効果は次の通りである。
【０００７】
〔作用〕
竿素材内に収納した緩み止め用ストッパの係合部を駆動ナットの被係合部に係合させる。そうすると、緩み止め用ストッパは阻止手段によって、竿素材に対して回転不能な状態にあるので、緩み止め用ストッパの係合部と係合した駆動ナットは、竿素材の円周方向への回転が阻止される。これによって、駆動ナットの緩みが阻止される。
【０００８】
〔効果〕
駆動ナットとは異なる緩み止め用ストッパを導入することによって、駆動ナットの緩み止めを行うことができる。
しかも、緩み止め用ストッパは竿素材内に装着してあるので、釣操作中に手が接触することはなく、緩み止め用ストッパが駆動ナットから外れることは少ない。
【０００９】
請求項２に係る発明の特徴構成は、請求項１に係る発明において、前記緩み止め用ストッパを長尺体に構成するとともに、先端部を折れ曲り自在に構成し、その折れ曲り先端部を前記係合部に構成し、前記竿素材内の前記貫通部位近傍に、前記緩み止め用ストッパの係合部を折れ曲り状態に屈折させて前記駆動ナットの被係合部に誘導するガイド部を形成してある点にあり、その作用効果は次の通りである。
【００１０】
〔作用効果〕
つまり、竿素材内に収納する緩み止め用ストッパとして長尺体に構成してあるので、駆動ナットの位置が竿尻端より離れた位置にあっても係合部を到達させることができる。
単に、長尺体に構成したものではなく、長手方向の途中で屈折可能に構成し、屈折させながら竿軸線と直交する方向に駆動ナットに係合する係合部を向かわせることが可能であり、係合部を駆動ナットの被係合部に係合させることができる。
以上のように、長尺体でありながら屈折可能な構成とすることによって、竿素材内に位置させるものであっても、竿素材の外側に位置する駆動ナットに対する緩み止め機能を果すことが可能になった。
【００１１】
請求項３に係る発明の特徴構成は、請求項１又は２に係る発明において、前記阻止手段を、前記竿素材の内周面に前記緩み止め用ストッパの竿軸線方向への移動を許容し、周方向での回転を規制する一対の規制板を立設して構成してある点にあり、その作用効果は次の通りである。
【００１２】
〔作用効果〕
阻止手段としては、一対の規制板で緩み止め用ストッパを挟みこむだけの構成であるので、構造が簡単であり、かつ、その規制板は竿素材内に設けてあるので、一対の規制板を目印として緩み止め用ストッパを竿素材内に挿入することができる。
【発明を実施するための最良の形態】
【００１３】
〔第１実施形態〕
ジグや餌木を使用する釣りに利用される船竿Ａについて説明する。図１及び図２に示すように、竿素材１にフロントグリップ２、リール脚Ｂを保持するリールシート３、リアグリップ４、尻栓５を取り付けて、船竿Ａを構成してある。
【００１４】
図１及び図２に示すように、リールシート３は、シートベース３Ｂ、そのシートベース３Ｂと一体でその竿先側に形成されている固定フード３Ａ、固定フード３Ａと対向する状態で配置され竿の周方向に回転不能でかつ軸線方向に沿って移動可能な可動フード３Ｃ、シートベース３Ｂの竿尻端部に形成された雄ネジ部３ｂに螺合して螺旋回転しながら可動フード３Ｃを駆動移動させる駆動ナット６とで構成してある。
【００１５】
駆動ナット６の緩みを規制する緩み止め用ストッパ７について説明する。図２及び図８に示すように、緩み止め用ストッパ７は、フェノールやＡＢＳ等の硬質樹脂製の板材又はアルミニュウム、チタン等の金属製の板材を使用した長尺体であり、先端から基端側への一定位置に、Ｖ字溝７ａを設けてあり、Ｖ字溝７ａの底部分において板材の板厚が薄くなっており、この部分がヒンジのように折れ曲がり易くなっている。
【００１６】
以上のような緩み止め用ストッパ７を竿素材１内に収納して駆動ナット６の回転を阻止する構造について説明する。図２及び図３に示すように、竿素材１の内周面に、緩み止め用ストッパ７の竿軸線方向への移動を許容し、周方向での回転を規制する一対の規制板８、８を立設してある。一対の規制板８，８としては、竿素材１の尻端開口１ａより竿先側に向かう複数箇所に設けてある。この一対の規制板８，８を、竿素材の円周方向への回転を阻止する阻止手段と称する。
【００１７】
図２及び図３に示すように、一対の規制板８，８として最も竿先側に設けてある部位のやや竿先側に、竿素材１とシートベース３Ｂとを貫通して、竿素材１の内部空間とシートベース３Ｂの外方とを連通させる貫通孔ａを形成してある。貫通孔ａの更に竿先側に、竿素材１の内部空間を閉塞するように、緩み止め用ストッパ７の係合部７ｂを折れ曲り状態に屈折させて駆動ナット６の被係合部６ｂに誘導するガイド部としての円板状のストッパガイド板９を固着してある。図４（イ）（ロ）に示すように、このストッパガイド板９によって、緩み止め用ストッパ７の折れ曲り先端部を、貫通孔ａを貫通する状態に誘導することができる。
この貫通孔ａは、図３に示すように、円周方向における一定円弧に亘って設けてあり、その円周方向に沿った開口長さは緩み止め用ストッパ７の板厚より４〜５倍の長さとなっている。
【００１８】
一方、駆動ナット６には、つぎのような機構が形成されている。図２及び図３に示すように、駆動ナット６の内周面に、シートベース３Ｂの雄ネジ部３ｂに螺合する雌ネジ部６ａとともに内歯状の被係合部６ｂが設けてある。被係合部６ｂは、内側から外側に向けて凹入する形状であり、円弧状に凹入する壁面ｂと径方向に沿った壁面ｃとで囲まれた凹入形状を呈するものであり、この凹入形状を呈する被係合部６ｂが内周面に亘って連続状に形成されている。
【００１９】
以上のような構成によって、図２及び図３に示すように、緩み止め用ストッパ７の折れ曲り先端部７ｂをこの駆動ナット６の被係合部６ｂに係合させることによって、駆動ナット６の緩み側への回転が阻止される。ここに折れ曲り先端部７ｂを係合部と称する。
【００２０】
竿尻端での構造について説明する。図２に示すように、竿尻端部にリアグリップ４を設けるとともに、リアグリップ４の竿尻端で竿素材１の竿尻端より後方側に竿素材１の外径より大径の凹入空間１０を形成し、その凹入空間１０の内周面に雌ネジ部１０ａを形成し、尻栓５を螺着するように構成してある。尻栓５とともに、内部空間１０内にはエンドリング１１が内装されており、エンドリング１１の外周面に雄ネジを形成して、凹入空間１０の雌ネジ部１０ａに螺合させて、螺進移動可能に構成し、緩み止め用ストッパ７の竿尻端を押込みかつ受止る機能を備えている。
【００２１】
以上のような構成を利用して、緩み止め用ストッパ７を駆動ナット６に係合させる手順について説明する。図示してはいないが、尻栓５、エンドリング１１を取り外して、竿素材１の竿尻端開口より一対の規制板８，８の間に位置するように緩み止め用ストッパ７を装入する。図４（イ）に示すように、緩み止め用ストッパ７の先端の係合部７ｂがストッパガイド板９に当接するまで緩み止め用ストッパ７を装入する。
【００２２】
図４（イ）及び図６に示すように、緩み止め用ストッパ７の先端の係合部７ｂがストッパガイド板９に当接した状態で、手で押込むかエンドリング１１を螺進させて押し込むことによって、図４（ロ）に示すように、緩み止め用ストッパ７は、Ｖ字溝７ａの部分で折れ曲りを開始し、先端の係合部７ｂはストッパガイド板９に当接しながらそのガイド面に沿って移動し、Ｖ字溝７ａの部分がストッパガイド板９に当接して緩み止めストッパ７がそれ以上挿入されない状態になると、貫通孔ａを貫通して、図２及び図３に示すように、緩み止め用ストッパ７の先端の係合部７ｂが駆動ナット６の被係合部６ｂに入り込んで係合する。
【００２３】
緩み止め用ストッパ７を手で押し込んだ場合には、エンドリング１１を装着して、緩み止め用ストッパ７の竿尻端を受止め、先端の係合部７ａの係合状態を確保する。一方、エンドリング１１で緩み止め用ストッパ７を押し込んで行った場合には、エンドリング１１が内部空間１０の壁面に当接した段階で、先端の係合部７ａの係合状態に至ったことを確認できる。
【００２４】
図２及び図３に示すように、緩み止め用ストッパ７が駆動ナット６に係合すると、緩み止め用ストッパ７の先端の係合部７ｂが駆動ナット６の径方向に沿った壁面ｃに当接するとともに、緩み止め用ストッパ７の一対の規制板８，８に保持されている基端部７Ａが、規制板８の一方に当接し、緩み止め用ストッパ７の円周方向での回転が阻止されて、この結果、駆動ナット６の緩み側への回転が阻止される。
【００２５】
〔第２実施形態〕
第１実施形態とは異なる部分を主として説明する。図９及び図１０に示すように、竿素材１にフロントグリップ２、リールシート３、リアグリップ４、尻栓５を備えて、釣り竿Ａを構成してある。リールシート３においては、シートベース３Ｂと一定形成される固定フード３Ａを竿尻側に、シートベース３Ｂの雄ネジ部３ｂに螺合する可動フード３Ｃ及び駆動ナット６を竿先側に配置する。
【００２６】
上記のように、可動フード３Ｃをリールシート３の竿先側に配置したものでは、リールシート３とリール脚部Ｂを共に握って釣操作を行う場合においては、駆動ナット６に手が接触することが少ない。従って、第１実施形態と同様に、駆動ナット６の緩みを回避する緩み止め用ストッパ７を設ける必要はないともいえるが、ここでは釣り操作途中で不測に手が駆動ナット６に衝撃的に接触することも考えられるところから、緩み止め用ストッパ７を駆動ナット６に作用させることとし、その構成について説明する。
【００２７】
図６に示すように、駆動ナット６の内周面で可動フード３Ｃに近い部分に、前記被係合部６ｂを形成する。これに対して前記した緩み止め用ストッパ７を竿素材１内に収納して、駆動ナット６に対するストッパ機構を構成する。つまり、緩み止め用ストッパ７は、竿素材１の竿尻端開口から挿入することとする。竿素材１とシートベース３Ｂとの被係合部６ｂに対応する部分に貫通孔ａを形成し、貫通孔ａの竿先側にストッパガイド板９を取り付け固定してある。
【００２８】
緩み止め用ストッパ７は、図８に示すように、Ｖ字溝７ａと先端の係合部７ｂとを設けた第１実施形態と同じものを使用する。
緩み止め用ストッパ７を駆動ナット６に係合させる形態としては、第１実施形態と同じであり、ストッパガイド板９に緩み止め用ストッパ７の先端の係合部７ｂが当接するまで押込み、当接後更に押し込むことによって、係合部７ｂをストッパガイド板９に沿って屈曲させ、貫通孔ａを通して駆動ナット６の被係合部６ｂに係合させる。
【００２９】
〔別実施形態〕
（１）  図７に示すように、ストッパガイド板９の竿素材１の内周面に固定された基端部に、樹脂塗料やプリプレグ等によって、基端ガイド部９Ａを設けても良い。基端ガイド部９Ａの表面を円弧面に形成し、緩み止め用ストッパ７の先端の係合部７ｂを円滑に貫通孔ａに向けて誘導すべく構成してもよい。
【００３０】
（２）  図８に示すように、緩み止め用ストッパ７の先端の係合部７ｂの先端面に円弧状の端面処理を行って、４分の１円弧面Ｒを形成する。これによって、先端の係合部７ｂがストッパガイド板９に当接して屈折しながら貫通孔ａに向かう場合に、進行方向の変更を円滑に行うことができる。
【００３１】
（３）  緩み止め用ストッパ７として、前記した実施例では、単純な板状部材で構成する態様を示したが、竿素材１の内周面において、安定した姿勢で載置するために、図９に示すように、緩み止め用ストッパ７の尻端にリング材７Ｂを一体固着し、接触面に対して直交する姿勢を維持できるようにする。一対の規制板８、８で緩み止め用ストッパ７の基端部７Ａを保持する構成は前記実施形態のものと同一である。
【００３２】
（４）  竿素材１の内周面において、安定した姿勢で載置するために、次ぎのような構成を採ってもよい。図１０に示すように、緩み止め用ストッパ７の板状を呈する基端部７Ａの底面に、同じく板状のものを竿素材１の内周面に沿った円弧面に湾曲させた載置板部７Ｃを一体形成してもよい。これによって、竿素材１の内周面であっても、緩み止め用ストッパ７は自立することができるようになる。
【００３３】
（５）  緩み止め用ストッパ７に載置板部７Ｃを形成することによって、緩み止め用ストッパ７の姿勢を受け止める一対の規制板８，８の構造も次ぎのように、変更する。つまり、図１０に示すように、板状部材を上下方向の中間位置で屈曲部を形成することによって、載置板部７Ｃを挾持保持する下半板部８ａと基端部７Ａを挾持保持する上半板部８ｂとを備えたものとなった。
【００３４】
（６）  一対のフードとして二つの可動フードを採用してもよい。この場合には、緩み止め用ストッパ７としても、二つのストッパ７，７が必要である。
（７）  緩み止め用ストッパ７としては、板材で構成したが、丸棒材、角材等で構成してもよい。
【図面の簡単な説明】
【００３５】
【図１】船竿の元竿部分を示す側面図
【図２】緩み止め用ストッパを駆動ナットに係合させた状態を示す縦断側面図
【図３】緩み止め用ストッパを駆動ナットの被係合部に係合させた状態を示す縦断正面図
【図４】(イ)緩み止め用ストッパの折れ曲り先端部の先端をストッパガイド板に当接させた状態を示す縦断側面図、(ロ)緩み止め用ストッパの折れ曲り先端部をストッパガイド板に沿って折れ曲り状態で進行方向を変更する状態を示す縦断側面図
【図５】駆動ナットをリールシートの竿先側に配置した船竿を示す側面図
【図６】緩み止め用ストッパを駆動ナットに係合させた状態を示す縦断側面図
【図７】ストッパガイド板の基端部に基端ガイド部を設ける状態を示す縦断側面図
【図８】緩み止め用ストッパを示す斜視図
【図９】緩み止め用ストッパの別実施構造を示す斜視図
【図１０】緩み止め用ストッパの別実施構造を示す斜視図
【符号の説明】
【００３６】
１            竿素材
３            リールシート
３Ａ          固定フード
３Ｂ          シートベース
３Ｃ          可動フード
６            駆動ナット
６ｂ          被係合部
７            緩み止め用ストッパ
７ｂ          係合部
８            規制板（阻止手段）
９            ストッパガイド板（ガイド部）
【図１】
2008173067.tif 000003
【図２】
2008173067.tif 000004
【図３】
2008173067.tif 000005
【図４】
2008173067.tif 000006
【図５】
2008173067.tif 000007
【図６】
2008173067.tif 000008
【図７】
2008173067.tif 000009
【図８】
2008173067.tif 000010
【図９】
2008173067.tif 000011
【図１０】
2008173067.tif 000012